(57)【特許請求の範囲】
【請求項１】
原油からナフサ留分分離工程によりナフサ留分を分離した抜頭原油を触媒存在下で水素化処理する方法において、該原油を順次、水素化脱金属処理、水素化分解処理、水素化脱硫処理の各工程で水素化処理し、次いで気液分離工程にて気液分離し、得られた気相流体をさらにナフサ留分分離工程により分離されたナフサ留分と共に水素化改質することを特徴とする原油の処理方法。
【請求項２】
原油からナフサ留分分離工程によりナフサ留分を分離した抜頭原油を触媒存在下で水素化処理する方法において、該原油を順次、水素化脱金属処理、水素化分解処理、水素化脱硫処理の各工程で水素化処理し、次いで気液分離工程にて気液分離された気相流体を水素化改質すると共に、ナフサ留分分離工程により分離されたナフサ留分を水素化脱硫処理することを特徴とする原油の処理方法。
【請求項３】
水素化分解処理に使用される触媒が、鉄含有アルミノシリケート１０〜９０重量％と無機酸化物９０〜１０重量％とからなる担体に、周期律表第６、８、９及び１０族に属する金属の中から選ばれた少なくとも一種を担持した触媒である請求項１または２に記載の原油の処理方法。
【請求項４】
気液分離工程および気液分離後の気相流体の水素化改質工程を、水素化脱硫処理工程より０〜５０kg/cm2 低い圧力範囲で、かつ０〜１００℃低い温度範囲で実施する請求項１〜３のいずれかに記載の原油の処理方法。
【請求項５】
請求項１〜４のいずれかに記載の原油の処理方法における気液分離工程より得られた液相流体と水素化改質された気相流体とを混合して得られる改質抜頭原油。
【請求項６】
請求項１〜４のいずれかに記載の原油の処理方法により改質された抜頭原油に、ナフサ留分分離工程で分離されたナフサ留分を水素化脱硫処理した後、混合して得られる改質混合原油。
【請求項７】
請求項５または６に記載の改質抜頭原油または改質混合原油を蒸留分離して得られた留出油の一部を、気相流体の水素化改質工程へリサイクルする請求項１〜４のいずれかに記載の原油の処理方法。
【発明の詳細な説明】
【０００１】
【発明の属する技術分野】
本発明は、原油の接触水素化処理方法および接触水素化処理された改質原油に関するものである。
【０００２】
【従来の技術】
従来、石油精製工業においては原油を蒸留して各留分に分離したのち、分離した各留分をそれぞれ脱硫等の改質処理をする方法がとられていた。これに対して、効率的な原油処理を目指して、原油のまま一括脱硫する方法（Chemical Eng.Progress Vol.67(8) P.57(1971)）やナフサ留分を除いた原油を一括脱硫する方法( 特開平3-294390号公報) 等が提案されている。これらの方法によれば、石油精製設備を簡素にしつつ、運転変動費も削減することは可能であるが、反面生成油中の各留分毎の品質を反応塔で制御することは不可能であった。原理的にも非常に難しいと考えられる。
【０００３】
また、昨今の地球環境問題に端を発した石油製品の品質に対する規制強化は驚くべき早さで進展しており、上記の一括脱硫という方法では、将来の石油製品の品質に対する規制に対しては、品質の調整に限界があるばかりか、品質そのものも不十分であることが判ってきた。
そこで、上記欠点を解決するために、重質油を水素化分解しつつ高品質な灯軽油留分を得る方法（特開平6-98270 号公報）や原油またはナフサ留分を除いた原油を水素化処理するための触媒の組合せ等( 特開平7-268361号公報、特開平4-224890号公報、特開平4-224892号公報、特開平8-27469 号公報、特開平8-27468 号公報) によって、灯軽油留分の品質を向上する方法が提案されている。図１、図２、図３、図４、図５にその処理方法の概略のフロー図を示す。
【０００４】
ところが、石油留分の品質の規制強化は、上記の如く予想以上に急激に進みつつあり、欧州を例にとると、軽油の硫黄分は現状５００ｐｐｍであるが、西暦２０００年には３５０ｐｐｍ，西暦２００５年には５０ｐｐｍまで低減の必要があり、多環芳香族は現状規制はないが、西暦２０００年には１１重量％以下という規制案が欧州議会で最近可決された。これらの規制は近い将来日本にも波及することが予想される。
【０００５】
これらの処理方法でも、上記の西暦２０００年の規制までは、運転条件や触媒の組合せを工夫すれば達成の可能性はあるが、重質油の共存下で水素化処理を行なう限り、欧州２００５年の硫黄分の規制をクリアーすることは極めて困難であると考えられる。
【０００６】
【発明が解決しようとする課題】
本発明は、比較的劣質な原油、またはナフサ留分を除いた該原油を事前に蒸留により各留分に分割することなく水素化処理を行なう処理方法において、灯軽油留分の品質を大幅に向上させ、かつ灯軽油留分を目標に応じた品質に制御出来る水素化改質方法および改質原油を提供することを目的とする。
【０００７】
【課題を解決するための手段】
本発明者は、上記課題を解決するために、原油、またはナフサ留分およびそれより軽質な留分（以後、ナフサ留分という）を除いた該原油（抜頭原油という）を触媒存在下で順次、水素化脱金属処理、水素化分解処理、水素化脱硫処理の各工程で水素化処理し、次いで気液分離工程にて気液分離し、得られた気相流体を水素化改質することにより、該原油より得られる灯軽油留分の品質を大幅に向上させ、かつ灯軽油留分を目標に応じた品質に制御できることを見い出し、この知見に基づいて本発明を完成するに至った。
【０００８】
すなわち、本発明の要旨は下記のとおりである。
（１）  原油からナフサ留分分離工程によりナフサ留分を分離した抜頭原油を触媒存在下で水素化処理する方法において、該原油を順次、水素化脱金属処理、水素化分解処理、水素化脱硫処理の各工程で水素化処理し、次いで気液分離工程にて気液分離し、得られた気相流体をさらにナフサ留分分離工程により分離されたナフサ留分と共に水素化改質する原油の処理方法。
【０００９】
（２）  原油からナフサ留分分離工程によりナフサ留分を分離した抜頭原油を触媒存在下で水素化処理する方法において、該原油を順次、水素化脱金属処理、水素化分解処理、水素化脱硫処理の各工程で水素化処理し、次いで気液分離工程にて気液分離された気相流体を水素化改質すると共に、ナフサ留分分離工程により分離されたナフサ留分を水素化脱硫処理することを特徴とする原油の処理方法。
（３）  水素化分解処理に使用される触媒が、鉄含有アルミノシリケート１０〜９０重量％と無機酸化物９０〜１０重量％とからなる担体に、周期律表第６、８、９及び１０族に属する金属の中から選ばれた少なくとも一種を担持した触媒である（１）または（２）に記載の原油の処理方法。
【００１０】
（４）  気液分離工程および気液分離後の気相流体の水素化改質工程を、水素化脱硫処理工程より０〜５０kg/cm2 低い圧力範囲で、かつ０〜１００℃低い温度範囲で実施する（１）〜（３）のいずれかに記載の原油の処理方法。
（５）  （１）〜（４）のいずれかに記載の原油の処理方法における気液分離工程より得られた液相流体と水素化改質された気相流体とを混合して得られる改質抜頭原油。
【００１１】
（６）  （１）〜（４）のいずれかに記載の原油の処理方法により改質された抜頭原油に、ナフサ留分分離工程で分離されたナフサ留分を水素化脱硫処理した後、混合して得られる改質混合原油。
【００１２】
（７）  （５）または（６）に記載の改質抜頭原油または改質混合原油を蒸留分離して得られた留出油の一部を、気相流体の水素化改質工程へリサイクルする（１）〜（４）のいずれかに記載の原油の処理方法。
【００１３】
【発明の実施の形態】
上記（１）記載の形態の本発明の原油の処理方法の概略フローを図６に示す。図６に従って処理方法を説明すると、原油１０はまず、水素化脱金属処理工程２で水素の存在下、後述するような処理条件で処理する。次いで、水素化分解処理工程３、水素化脱硫処理工程４の各工程で水素化処理する。それぞれの処理条件は後述する。これを、気液分離工程５にて気液分離し、気相流体１１と液相流体１２とに分離し、気相流体１１を水素化改質工程６で水素の存在下、後述するような処理条件で水素化改質処理する。また、図６の水素化改質された気相流体１３と液相流体１２との混合流体１４は上記（６）に記載の形態の本発明の改質原油となる。
【００１４】
これらの工程はどのひとつが欠けていても、また、その順序が異なっていても本発明の目的を達成することはできない。しかし、これらの工程の前後または中間に各種の処理工程を付加することはできる。例えば、水素化脱金属処理工程２の次に予備的な水素化脱硫処理を行い、そのあとで水素化分解処理工程３、水素化脱硫処理工程４の各工程へと進めて行くこともできる。また、水素化のための水素は、通常水素化脱金属処理工程２の前に反応に必要な量より過剰に原油１０と混合しておくことにより、分離することなく後工程の水素化分解処理工程３等に利用できる。それぞれの処理工程で必要な水素量が不足する場合にはその処理工程で水素を追加してやればよい。
【００１５】
同様に、上記（２）記載の形態の本発明の原油からナフサ留分分離工程１によりナフサ留分を分離した抜頭原油１６の処理方法の概略フローを図７に示す。また、図７の改質抜頭原油２０は上記（６）に記載の形態の本発明の改質抜頭原油となる。ナフサ留分分離工程１により分離したナフサ留分（ナフサ１５）と改質抜頭原油２０を混合したものが上記（７）に記載の形態の本発明の改質混合原油である。なお、図７にナフサ留分分離工程１も含めて記載している。本発明において、ナフサ留分分離工程１により分離されたナフサ留分（ナフサ１５）にはナフサ留分およびそれより軽質な留分を含むものである。
【００１６】
さらに、上記（３）記載の形態の本発明の原油の処理方法の概略フローを図８に示す。また、図８の改質混合原油２２は上記（６）に記載の形態の本発明の改質原油となる。図９の改質混合原油２４は上記（８）に記載の形態の本発明の改質混合原油である。ナフサ留分分離工程１により分離したナフサ１５に水素化脱硫処理７を施した脱硫ナフサ２３と改質抜頭原油２０を混合したものである。
【００１７】
図１０〜１３は、上記（９）記載の形態の本発明の原油の処理方法の概略フロー図であり、それぞれ図６〜９に対応している。改質原油、改質抜頭原油、改質混合原油を蒸留工程８で分離し、分離した留出油の一部を水素化改質工程６にリサイクルしているものである。蒸留工程８では、５成分に分離しているがその数は特に限定されるものではない。生成油の必要に応じて選択すればよい。蒸留して得られる留出油を分離し、その一部をリサイクルできればよい。リサイクルする留分は灯油留分および軽油留分とすることが好適である。灯油留分は、リサイクルによりその煙点の向上が見込まれ、軽油留分のリサイクルはそのセタン価の向上や硫黄分のさらなる提言が図れる。
つぎに、原料油、各処理工程等につき説明する。
【００１８】
〔１〕原料油１０（原油）
▲１▼  本発明の原油とは、厳密に石油からの原油という意味ではなく石油系以外の原油も含まれる。石油系原油以外にも、石炭液化油、タールサンド油、オイルサンド油、オイルシェール油、オリノコタール等、あるいはこれらから得られる合成原油であつても良い。また、石油系原油と上記原油の混合原油なども原料油として用いられる。
【００１９】
▲２▼  石油系原油であってアスファルテン分を１重量% 以上もしくはＶ，Ｎｉを１０重量ppm 以上もしくは硫黄分を０．１重量% 以上含有するものが最も好適である。これらの値以下であれば水素化改質の経済的効果が小さい。
〔２〕  前処理
▲１▼  原料原油は、予備蒸留塔の汚れ防止や反応塔で詰まり防止の観点から脱塩処理することが好ましい。
【００２０】
▲２▼  脱塩処理方法としては、当業者で一般的に行われている化学的脱塩、ペトレコ電気脱塩法、ハウ・ベイカー電気脱塩法等が挙げられる。
〔３〕  ナフサ留分分離工程１（予備蒸留塔）
▲１▼  脱塩処理された原油は必要に応じてナフサ留分（ナフサ１５）を除くことが有利な場合がある。例えば、本発明における生成油を、次の工程で常圧蒸留してナフサ留分を分離後、接触改質するような場合である。この場合にはナフサ留分中の硫黄分は０．５重量ｐｐｍ程度まで脱硫することが好ましく、上記（１）の形態の本発明における接触水素化処理では、ナフサ留分をそこまでの脱硫することは困難であるため再度脱硫処理する必要がある。上記（１）の形態の本発明（図７に示す）のようにナフサ留分分離工程（予備蒸留塔）でナフサ留分（ナフサ１５）を除き別途処理した方が好ましい。
【００２１】
▲２▼  また、ナフサ留分をエチレン装置の原料とするような場合には、０．５重量ｐｐｍ程度まで脱硫する必要はないので、上記〔１〕の形態の本発明の方法でもよい。
▲３▼  ナフサ留分（ナフサ１５）を除く方法としては、一般的なプレフラッシュドラムまたはプレフラッシュカラムを使えば良い。運転温度は１５０〜３００℃、圧力は２〜１０kg/cm2の範囲で分離することが好ましい。
【００２２】
▲４▼  分離するナフサ留分の沸点は、初留点は原料の原油により決定され、終点は１２５〜１７４℃の範囲が好ましい。  終点が１２５℃未満の場合は後段の接触水素化処理において水素分圧が低下するため反応速度が低下する。終点が１７４℃を超えると、生成油中の灯油留分の硫黄分が増加して規格外となる場合がある。
〔４〕水素化脱金属工程２
▲１▼原油１０または抜頭原油１６は、加圧昇温され水素と共に第１段の水素化脱金属工程２にて一括水素化脱金属処理する。この工程は、一塔〜複数塔の反応塔からなる。
【００２３】
▲２▼この水素化脱金属工程に使用される触媒としては、通常はアルミナ、シリカ、シリカーアルミナ又はセピオライト等の多孔性無機酸化物、酸性担体、天然鉱物等に周期律表第5、6、8、9 及び10族に属する金属の中から選ばれた少なくとも一種を、触媒全量に基づき、酸化物として３〜３０重量％程度担持してなる平均細孔径１００Å以上の触媒が用いられる。なお、商業的に入手可能な水素化脱金属触媒等その他の水素化脱金属触媒であってもよい。水素化脱金属触媒の必要量は、処理期間中の原料油中に含まれる累積金属量の１０〜８０容量％とするのが好適である。
【００２４】
▲３▼水素化脱金属工程の処理条件としては、反応温度３００〜４５０℃、水素分圧３０〜２００kg/cm2G 、水素／油比２００〜２000Nm3/kl 、LHSV（液時空間速度）0.1 〜１０ｈ-1、さらに反応温度３５０〜４１０℃、水素分圧１００〜１８０kg/cm2G 、水素／油比４００〜８００Nm3/kl、LHSV 0. ３〜５ｈ-1が望ましい。
【００２５】
反応温度、水素分圧、水素／油比は望ましい範囲を下回ると反応効率が低下し、範囲を上回ると経済性が低下するためである。また、ＬＨＳＶは逆に望ましい範囲を上回ると反応効率が低下し、範囲を下回ると経済性が低下する。
〔５〕  水素化分解工程３
▲１▼  水素化脱金属処理された油は、次に水素化分解工程３で水素化分解処理される。反応温度制御の必要がある場合には熱交換器等により流体温度を変更する。水素ガスクエンチや油クエンチにより反応温度制御が可能であれば、熱交換器等は設置しないでそのまま処理される。この工程は、一塔〜複数塔の反応塔からなる。
【００２６】
▲２▼  この水素化分解工程に使用される触媒としては特に限定されるものではないが、特開平２―２８９４１９号公報に開示されている技術によって造られた鉄含有アルミノシリケート１０〜９０重量％と無機酸化物９０〜１０重量％からなる担体に周期律表第6、8、9 及び10族に属する金属のうち選ばれた少なくとも一種を担持したものも使用することが出来る。この水蒸気処理したスチーミングゼオライトを鉄塩水溶液で処理して得られる鉄含有アルミノシリケートを使用すると、３４３℃以上の留分から３４３℃以下の留分への分解率を高める点で非常に効果的である。
【００２７】
また、特開昭60-49131号公報、特開昭61-24433号公報、特開平3-21484 号公報等に開示されている技術によって造られたものを使用することが出来る。すなわち、鉄含有アルミノシリケート２０〜８０重量％と無機酸化物８０〜２０重量％からなる担体に、周期律表第6、8、9 及び10族に属する金属のうち選ばれた少なくとも一種を担持したものであって、周期律表第６族に属する金属としてはタングステン、モリブデンが好ましく、周期律表第７〜１０族の金属はそれぞれ一種用いてもよく、それぞれ複数種の金属を組合わせても良いが、特に水素化活性が高く、かつ劣化が少ない点からＮｉ−Ｍｏ，Ｃｏ−Ｍｏ，Ｎｉ−Ｗ，Ｎｉ−Ｃｏ−Ｍｏの組合せが好適である。
〔６〕水素化脱硫工程４
▲１▼  水素化脱金属処理され、次いで水素化分解処理された油は、反応温度制御の必要がある場合には熱交換器等により流体温度を変更する。水素ガスクエンチや油クエンチにより反応温度制御が可能であれば、熱交換器は設置しないでそのまま水素化脱硫処理される。この工程は、一塔〜複数塔の反応塔からなる。
【００２８】
▲２▼  この水素化脱硫工程４に使用される触媒としては、通常の重質油用の水素化脱硫触媒でよい。即ち、アルミナ、シリカ、ゼオライトあるいはこれらも混合物の担体等に周期律表第5、6、8、9 及び10族に属する金属の中から選ばれた少なくとも一種を、触媒全量に基づき、酸化物として３〜３０重量％程度担持したものでよい。平均細孔径８０Å以上の触媒などであるが、特開平7-305077号公報、特開平5-98270 号公報に開示される様なアルミナーリン担体、アルミナーアルカリ土類金属担体化合物、アルミナーチタニア担体、アルミナージルコニア担体、アルミナーボリア担体等から選ばれる担体に周期律表第5、6、8、9 及び10族に属する金属の中から選ばれた少なくとも一種を担持してなる触媒であれば、灯軽油留分の改質効果が高いために好適である。
【００２９】
▲３▼  この水素化脱硫工程４における処理条件としては、反応温度３００〜４５０℃、水素分圧３０〜２００kg/cm2G 、水素／油比２００〜２000Nm3/kl 、LHSV（液時空間速度）0.1 〜１０  ｈ-1、さらに反応温度３００〜４２０℃、水素分圧１００〜１８０kg/cm2G 、水素／油比４００〜８００Nm3/kl、LHSV 0. ２〜２ｈ-1が望ましい。
【００３０】
反応温度、水素分圧、水素／油比は望ましい範囲を下回ると反応効率が低下し、範囲を上回ると経済性が低下するためである。また、ＬＨＳＶは逆に望ましい範囲を上回ると反応効率が低下し、範囲を下回ると経済性が低下する。
〔７〕気液分離工程５
▲１▼  水素化脱金属処理、水素化分解処理、水素化脱硫処理された油は、熱交換器により所望の分離温度まで温度を制御したのち、気液分離工程５へ導入する。
【００３１】
通常、気液分離工程５は重油直接脱硫装置と同様の構造の高圧高温気液分離槽を用いれば良いが、後段の水素化改質工程における反応効率を維持するためには、高圧高温気液分離槽で分離される気相流体に重質油が混入しないような措置、例えば気液分離槽の塔径を十分大きくとる、あるいは、気液分離槽内部に十分な量のミストセパレーターを配置する等を講ずる方が良い。高圧高温気液分離槽は一塔〜複数塔からなる。
【００３２】
▲２▼気液分離工程は、水素化脱硫処理工程より、０〜５０kg/cm2低い圧力範囲で、かつ０〜１００℃低い温度範囲で実施することが望ましい。
気液分離工程における分離条件として、分離圧力を水素化脱硫工程出口の圧力に対し５０kg/cm2G より低下させると、水素分圧の低下により後段の水素化改質での反応効率が低下するばかりか、後段の水素化改質工程に供される気相流体に重質油が混入しやすくなる。この場合の基準としては、気相流体中に混入する４００℃以上の留分の割合を、気相流体全量に対して３重量％以下に維持することが好適である。また、分離圧力を水素化脱硫工程出口の圧力以上にするためには昇圧のための設備例えばコンプレッサーが必要となるため装置建設費が増大する。
【００３３】
分離温度を水素化脱硫工程出口の温度に対し１００℃より大きく低下させると、気液分離前の流体中の灯軽油留分のうち、気相流体として分離される灯軽油留分の割合が少なくなり、後段の水素化改質工程６に供する灯軽油留分が少なくなり効率的に灯軽油留分の水素化改質ができない。また、分離温度を水素化脱硫工程出口の温度より高くするには加熱のための設備例えば加熱炉が必要となるため装置建設費が増大する。
〔８〕水素化改質工程６
▲１▼  水素化脱金属処理、水素化分解処理、水素化脱硫処理された油は、気液分離工程６へ導入され気液分離される。この気相流体を次いで水素化改質する。  水素化改質工程は一塔から複数塔の反応塔からなり、通常は気液分離工程からの気相流体は加熱や昇温の処理なしに水素化改質を行なわせる。気相流体の反応温度制御の必要がある場合には熱交換器等により流体温度を変更する。水素ガスやリサイクル油により反応温度制御が可能であれば、そのまま水素化改質処理される。この工程における反応塔型式は、通常の固定床を用いればよい。
【００３４】
▲２▼  この水素化改質工程に使用される触媒としては、通常の中間留分用の水素化触媒でよい。即ち、アルミナ、  シリカ、ゼオライトあるいはこれらの混合物の担体等に周期律表第5、6、8、9 及び10族に属する金属の中から選ばれた少なくとも一種を、触媒全量に基づき、酸化物として３〜３０重量％程度担持している平均細孔径８０Å以上の触媒などであるが、特開平7-305077号公報、特開平5-98270 号公報に開示される様なアルミナーリン担体、アルミナーアルカリ土類金属担体化合物、アルミナーチタニア担体、アルミナージルコニア担体、アルミナーボリア担体等から選ばれる担体に周期律表第5、6、8、9 及び10族に属する金属の中から選ばれた少なくとも一種を担持してなる触媒であれば、灯軽油留分の水素化改質効果が高いために好適である。
【００３５】
▲３▼  この水素化改質工程における処理条件としては、通常前記の気液分離工程に引き続き加熱や昇温の設備なしに反応行なわせるため、前記の気液分離工程での分離温度と分離圧力とほぼ同等である。即ち、反応温度３００〜４００℃、反応圧力１００〜１８０kg/cm2G の範囲が望ましい。前段の水素化脱硫工程出口の温度と圧力を後段の水素化改質に有効に活用するためには、反応温度は水素化脱硫工程出口の温度に対し−１００〜０℃とし、反応圧力は水素化脱硫工程出口の圧力に対し  −５０〜０kg/cm2の範囲が好適である。また、水素分圧は７０〜１５０kg/cm2G 、水素／油比は500 〜２000Nm3/kl 、LHSV（液時空間速度）は  ０．５〜１０  ｈ-1が望ましい。
【００３６】
反応温度、水素分圧、水素／油比は望ましい範囲を下回ると反応効率が低下し、範囲を上回ると経済性が低下するためである。また、ＬＨＳＶは逆に望ましい範囲を上回ると反応効率が低下し、範囲を下回ると経済性が低下する。
〔９〕不純物等の分離
水素化脱金属処理、水素化分解処理、水素化脱硫処理、気液分離、及び水素化改質処理された流体は、気液分離工程で分離された液相流体と共に、常法に従って分離工程に導入され、複数の分離槽で処理することによって気体部分と液体部分に分離される。このうち、気体部分は、硫化水素、アンモニア等を除去してから水素純度向上の処理等を行なった後に、新しい供給ガスと一緒になった後に、反応工程に再循環される。
〔１０〕  ナフサ留分の再混合工程
前記〔３〕のナフサ留分分離工程で原油中のナフサ留分（ナフサ１５）を除去した場合には、分離したナフサ留分を製品の需要により以下の▲１▼〜▲４▼の何れかの方法で処理することができる。
【００３７】
▲１▼  ナフサ留分を回収してそのまま製品とする。（図７）
▲２▼  ナフサ留分を、前記〔９〕の不純物等の分離により得られた液体部分と混合し改質混合原油とする。
▲３▼  ナフサ留分を昇圧、加熱後、前記〔８〕の水素化改質工程６に導入する。（図８）
▲４▼  ナフサ留分を水素化脱硫処理７の後、前記〔９〕の不純物等の分離により得られた液体部分と混合し改質混合原油とする。（図９）
〔１１〕改質原油等の製造
本発明の商業化の立地条件によっては前記〔９〕の不純物等の分離工程で得られた液体部分は、前記〔１０〕のいずれかの方法でナフサ留分を混合した後に、改質原油として出荷した方が有利な場合がある。例えば、産油国の原油出荷設備近傍に立地して、原油出荷設備は整っているが、石油製品出荷設備が無いような場所に設備を設けるような場合はこれにあたる。このような場合には、生成油をそのままでも良いし、脱硫装置に付随する硫化水素を取り除く設備、例えば、硫化水素ストリッパー等に導入して、硫化水素を取り除いた改質原油、改質抜頭原油または改質混合原油を得ることもできる。生成油を改質原油等とすることにより、既存の原油出荷設備がそのまま使えるほか、大型原油タンカーを使い、大量かつ安価に各製品を輸送出来るという効果も挙げられる。
〔１２〕  蒸留分離工程８
前記〔１１〕の改質原油等の製造のほかに、  前記〔９〕の分離工程で得られた液体部分、または前記〔１１〕の混合原油、改質原油、改質抜頭原油または改質混合原油を、蒸留分離工程に導入し常法に従って各製品に分留する。この時の分留条件としては、例えば、常圧蒸留においてはナフサ留分を２０〜１５７℃、灯油留分を１５７〜２３９℃、軽油留分を２３９〜３４３℃、３４３℃以上を常圧残油とすることによりナフサ、灯油、軽油及び常圧残油に分留することが出来る。また常圧残油は引き続き減圧蒸留して減圧軽油と減圧残油等に分留しても良い。
〔１３〕  留出油のリサイクル処理
上記〔１２〕の蒸留分離工程で得られた留出油（望ましくは軽油留分の一部（５〜９５容量% ）を含む留分）を加圧、加熱して前記〔８〕に示す、水素化改質工程にリサイクルして処理することも出来る。
【００３８】
この効果として、特に良質な軽油留分を得ることができ、今後の軽油の品質規制が強化されたような場合にも対応できる様な高品質な軽油を新たな反応塔を設けることなく製造することが出来る。リサイクル比率、リサイクル留分の性状を変化することによって軽油の品質を所望のものへ調整することが可能となる（図１０〜図１３）。
〔１４〕  反応塔の型式
本発明における、水素化脱金属処理、水素化分解処理、水素化脱硫処理における反応装置の型式は特に制限がなく、例えば、固定床、移動床、流動床、沸騰床、スラリー床等を採用出来る。気相水素化改質処理においても反応装置の型式には特に制限はないが、気相反応であるため安価な固定床が好適である。また、ひとつの反応器で水素化脱金属処理、水素化分解処理、水素化脱硫処理のうち二つ以上の処理工程を行わせてもよい。
【００３９】
【実施例】
原料油として、アラビアンヘビー脱塩原油及びナフサ留分およびそれより軽質な留分を除いたアラビアンヘビー脱塩原油（アラビアンヘビー抜頭原油という）を用いた。表１に原料油の性状を示す。
表２に反応に使用した各工程の触媒を示す。
【００４０】
【表１】
0004226154.tif 000002
【００４１】
【表２】
0004226154.tif 000003
【００４２】
〔実施例１〕
▲１▼水素化脱金属、水素化分解、水素化脱硫処理
表２に示す触媒Ａを２８容量％，触媒Ｂを３３容量％をこの順序で３００ｍｌの反応管に、また触媒Ｃを３９容量％を同じく３００ｍｌの反応管に充填してこの順序で直列に連結して反応を行なった。
【００４３】
原料油としては、表１に示すアラビアンヘビー脱塩原油を使用し、水素化脱金属工程入口での水素分圧１３５kg/cm2G 、水素／油比５５０ Nm3/kl 、反応温度は触媒Ａが３８０℃、触媒Ｂが４００℃、触媒Ｃが３６０℃にして、全触媒容量に対するＬＨＳＶ０．４０８ｈ-1で処理した。
▲２▼気液分離工程および水素化改質工程
反応開始後、１０００時間〜３０００時間において前記▲１▼の反応で得られた生成油Ａを、回分型の蒸留装置によってナフサ、灯油、軽油、減圧軽油の各留分に分離し、ＳｉｍＳｃｉ社のプロセスシミュレータ( 製品名：ＰＲＯ /ＩＩＶｅｒ．５）を用いた連続気液分離断熱計算によって、３４０℃、全圧１３５kg/cm2A における気相の組成計算結果に基づき高温高圧気液分離槽の気相流体の組成と同じ組成の水素化改質原料油（気相流体Ａという）を調製した。気相流体Ａの組成を表３−１に示す。
【００４４】
【表３】
0004226154.tif 000004
【００４５】
表２に示す触媒Ｄを３０ｍｌの反応管に充填し、表３−１に示す気相流体Ａを原料油として水素分圧１０５kg/cm2、水素/ 油比７００Nm3/kl、反応温度３４０℃、ＬＨＳＶ 3.0  毎時で通油し、水素化改質反応を実施した。
反応開始後、通油時間１５００〜２０００時間における水素化改質反応の生成油Ｂと、その時間に使用した気相流体Ａに対応して分離された残油（液相流体）とを、気液分離工程で分離された気相流体Ａと対応する液相流体との割合で混合して、生成油Ｃ（改質原油）を得た。
【００４６】
得られた生成油Ｃを１５段蒸留装置をもちいて、ＬＰＧ( プロパン＋ブタン) 、ナフサ留分（ペンタン〜１５７℃）、灯油留分（１５７〜２３９℃）、軽油留分（２３９〜３４３℃）および常圧残油（３４３℃以上の留分）に蒸留分離して各留分の品質を分析した。この時の各留分の得率、性状を表４に示す。
常圧残油は更に、減圧単蒸留して減圧軽油（３４３〜５２５℃）を分離した。減圧軽油の得率、性状も表４−１、表４−２、表４−３に示す。
【００４７】
灯油留分、 軽油留分は硫黄分、芳香族分、多環芳香族の極めて少ない高品質なものが得られている。また、原料であるアラビアンヘビー原油が水素化分解されるため、密度が低下し、液の容積が約７％増加している。
〔実施例２〕
▲１▼水素化脱金属、水素化分解、水素化脱硫処理
実施例１の▲１▼に示す各触媒に、表１に示すアラビアンヘビー脱塩原油からナフサ留分およびそれより軽質な留分（ナフサ留分という）を除いた残りの留分（アラビアンヘビー抜頭原油）を供給し、ＬＨＳＶ 0. ３５  毎時で通油した。この時の、アラビアンヘビー抜頭原油あたりのＬＨＳＶは実施例１と同じである。また、その他の条件も実施例１と同じである。
【００４８】
▲２▼気液分離工程および水素化改質工程
実施例１の▲２▼と同様の方法で気液分離工程、水素化改質反応、水素化改質された気相流体と液相流体の混合および蒸留分離を実施した。この時の水素化改質原料油（気相流体）の組成を表３−２に示す。生成油の各留分の得率、性状を表４−１、表４−２、表４−３に示す。（得率は対アラビアンヘビー脱塩原油として表す。）
【００４９】
【表４】
0004226154.tif 000005
【００５０】
実施例１と同じく、灯油留分、 軽油留分の硫黄分、芳香族分、多環芳香族の極めて少ない高品質なものが得られている。
〔実施例３〕
▲１▼水素化脱金属、水素化分解、水素化脱硫処理
実施例２の▲１▼と全く同じ処理を行なった。
【００５１】
▲２▼気液分離工程およびの水素化改質工程
実施例２の▲２▼と全く同じ処理を行なった。
▲３▼  ナフサ留分の混合
上記▲２▼より得られる生成油Ｃに、アラビアンヘビー原油からアラビアンヘビー抜頭原油を調製する際に分離したナフサ留分（性状を表１に示す）を加え、改質原油を得た。この改質原油を１５段蒸留装置をもちいて実施例２の▲２▼と同様にしてＬＰＧ( プロパン＋ブタン) 、ナフサ（ペンタン〜１５７℃）、灯油留分（１５７〜２３９℃）、軽油留分（２３９〜３４３℃）および残油（３４３℃以上の留分）に蒸留分離して各留分の品質を分析した。この時の各留分の得率、性状を表４−１、表４−２、表４−３に示す。
【００５２】
実施例１，２と同じく、灯油留分、 軽油留分の硫黄分、芳香族分、多環芳香族の極めて少ない高品質なものが得られている。また、当初の原料であるアラビアンヘビー原油にくらべ、密度が低下し、液の容積が約７％増加している。
〔実施例４〕
▲１▼水素化脱金属、水素化分解、水素化脱硫処理
実施例３の▲１▼と全く同じ処理を行なった。
【００５３】
▲２▼気液分離工程および水素化改質工程
実施例３の▲２▼と全く同じ処理を行なった。
▲３▼ナフサ留分の水素化脱硫
表１に示すアラビアンヘビー抜頭原油を調製する際に抜き出したナフサ留分を原料として、表２に示す触媒Ｃを３０ｍｌの反応管に充填して、水素分圧１５kg/cm2G 、水素／油比１００Nm3/kl、反応温度は３２０℃、ＬＨＳＶ７．５毎時で通油し、脱硫ナフサ留分を得た。
【００５４】
▲４▼脱硫ナフサ留分の混合
上記▲３▼にて得られた脱硫ナフサ留分を、実施例３と同じく水素化改質後の生成油Ｃに再混合して改質混合原油を得た。この改質混合原油を１５段蒸留装置をもちいて実施例２の▲２▼と同様にしてＬＰＧ( プロパン＋ブタン) 、ナフサ（ペンタン〜１５７℃）、灯油留分（１５７〜２３９℃）、軽油留分（２３９〜３４３℃）および残油（３４３℃以上の留分）に蒸留分離して各留分の品質を分析した。この時の各留分の得率、性状を表４−１、表４−２、表４−３に示す。
【００５５】
実施例３に比べナフサの硫黄分が低下して、ナフサ接触改質装置の原料として通油可能なレベルまで低下していることが判る。
〔実施例５〕
▲１▼水素化脱金属、水素化分解、水素化脱硫処理
実施例３の▲１▼と同じ処理を行なった。
【００５６】
▲２▼気液分離工程および水素化改質工程
表５に示す水素化改質原料油（気相流体）に対し、表１に示すアラビアンヘビー抜頭原油を調製する際に抜き出したナフサ留分を４０容量％加えて原料として実施例１に示す方法で水素化改質を行なった。
実施例３と同様の方法により生成油Ｃ（改質混合原油）を得た。この改質混合原油を１５段蒸留装置をもちいて実施例２の▲２▼と同様にしてＬＰＧ( プロパン＋ブタン) 、ナフサ（ペンタン〜１５７℃）、灯油留分（１５７〜２３９℃）、軽油留分（２３９  〜３４３℃）および残油（３４３℃以上の留分）に蒸留分離して各留分の品質を分析した。この時の各留分の得率、性状を表４−１、表４−２、表４−３に示す。
【００５７】
実施例４と同様に比べナフサの硫黄分が低下して、ナフサ接触改質装置の原料として通油可能なレベルまで低下していることが判る。
〔実施例６〕
▲１▼水素化脱金属、水素化分解、水素化脱硫処理
実施例２の▲１▼と同じ処理を行なった。
【００５８】
▲２▼軽油留分のリサイクル処理を加えた気液分離工程および水素化改質工程
表５に示す水素化改質原料油（気相流体）に対し、実施例３の表４に示す軽油留分の５０重量％に相当するものを混合して水素化改質原料油とした。これを実施例３に示す方法で水素化改質を行なった。実施例３と同様にして得られた生成油Ｃを改質脱ナフサ原油とする。  この改質脱ナフサ原油を１５段蒸留装置をもちいて実施例２の▲２▼と同様にしてＬＰＧ( プロパン＋ブタン) 、ナフサ（ペンタン〜１５７℃）、灯油留分（１５７〜２３９℃）、軽油留分（２３９〜３４３℃）および残油（３４３℃以上の留分）に蒸留分離して各留分の品質を分析した。この時の各留分の得率、性状を表４−１、表４−２、表４−３に示す。
【００５９】
実施例３よりも軽油留分の硫黄分、芳香族分、多環芳香族分は更に低下し、極めてクリーンで高品質な軽油留分が得られる。また、リサイクル比を変えることで軽油留分の品質調整が可能となる事が容易に予想される。
【００６０】
【表５】
0004226154.tif 000006
【００６１】
【表６】
0004226154.tif 000007
【００６２】
【表７】
0004226154.tif 000008
【００６３】
〔比較例１〕
▲１▼原油の水素化脱金属、水素化脱硫処理
表２に示す触媒Ａを４１．８容量％を３００ｍｌの反応管に、また触媒Ｃを５８．２容量％を同じく３００ｍｌの反応管に充填してこの順序で直列に連結して反応を行なった。原料油、反応条件は実施例１と全く同一である。得られた生成油を１５段蒸留装置をもちいて、ＬＰＧ( プロパン＋ブタン) 、ナフサ（ペンタン〜１５７℃）、灯油留分（１５７〜２３９℃）、軽油留分（２３９〜３４３℃）および常圧残油（３４３℃以上の留分）に蒸留分離して各留分の品質を分析した。この時の各留分の得率、性状を表４に示す。常圧残油は更に、減圧単蒸留して減圧軽油（３４３〜５２５℃）を分離した。減圧軽油の性状も表４−４、表４−５、表４−６に示す。
【００６４】
実施例１に比べ、灯油留分、軽油留分の硫黄分、芳香族分、多環芳香族分が多く品質は劣る。また、体積増加も少ない。
〔比較例２〕
▲１▼抜頭原油の水素化脱金属、水素化脱硫処理
比較例１と同じ条件でアラビアンヘビー抜頭原油を通油し、生成油を分留した。この時のＬＨＳＶは抜頭原油あたり同等とするため０．３５毎時とした。得られた生成油の得率、性状を表４−４、表４−５、表４−６に示す。
【００６５】
実施例２に比べ、灯油留分、軽油留分の硫黄分、芳香族分、多環芳香族分が多く品質は劣る。また、体積増加も少ない。
〔比較例３〕
▲１▼抜頭原油の水素化脱金属、水素化分解、水素化脱硫処理
実施例２の▲１▼と全く同じ処理を行ない、得られた生成油を分留し、その得率、性状を表４−４、表４−５、表４−６に示す。
【００６６】
実施例２に比べ、灯油留分、軽油留分の硫黄分、芳香族分、多環芳香族分が多く品質は劣る。
〔比較例４〕
実施例３〜６の生成油と硫黄分および密度がほぼ同等の、マーバン原油を実施例と同様の方法で分留した。各留分の得率、性状を表４−４、表４−５、表４−６に示す。
【００６７】
実施例３〜６に比べ、全体の硫黄分、密度は同等であるが、灯油、軽油、減圧軽油の硫黄分は実施例３〜６に比べ高く、灯油、軽油の芳香族分も多い。
【００６８】
【表８】
0004226154.tif 000009
【００６９】
【表９】
0004226154.tif 000010
【００７０】
【表１０】
0004226154.tif 000011
【００７１】
【発明の効果】
▲１▼  原油またはナフサ留分を除いた原油を水素化脱金属、水素化分解および水素化脱硫処理後、気液分離して気相流体を水素化改質することにより得られる生成油中の灯軽油留分の品質が大幅に向上した。これにより、灯油留分はジェット燃料規制をクリアーすることが出来、軽油留分は西暦２００５年の欧州の硫黄分規制をクリアー出来る軽油製造の可能性が十分にある。
▲２▼従来型の原油の精製処理方法の改善という用途以外に、産油国等に立地した重質・高硫黄原油からの軽質低硫黄原油への改質といった用途に適用出来る。
【００７２】
この用途では以下の効果がある。
ア．原料原油を分解することにより生成する改質された原油の液収率が増加する。
イ．軽質・低硫黄原油から得られる灯油、軽油にくらべ、本発明の方法により得られる灯油、軽油は品質が極めて良い。
【００７３】
ウ．通常の原油と同等の取扱いが可能で既存の原油出荷設備がそのまま使えるほか、大型原油タンカーを使い大量かつ安価に各製品を輸送出来る。
【図面の簡単な説明】
【図１】特開平７−２６８３６１号公報に開示の原油の処理フロー図
【図２】特開平４−２２４８９０号公報に開示の原油の処理フロー図
【図３】特開平４−２２４８９２号公報に開示の原油の処理フロー図
【図４】特開平８−２７４６９号公報に開示の原油の処理フロー図
【図５】特開平８−２７４６８号公報に開示の原油の処理フロー図
【図６】本発明（１）記載の原油の処理方法の概略フロー図
【図７】本発明（２）記載の原油の処理方法の概略フロー図
【図８】本発明（３）記載の原油の処理方法の概略フロー図
【図９】本発明（８）記載の改質混合原油の製造方法の概略フロー図
【図１０】本発明（９）記載の原油の処理方法の概略フロー図
【図１１】本発明（９）記載の原油の処理方法の概略フロー図
【図１２】本発明（９）記載の原油の処理方法の概略フロー図
【図１３】本発明（９）記載の原油の処理方法の概略フロー図
【符号の説明】
１  ：ナフサ留分分離工程
２  ：水素化脱金属処理工程
３  ：水素化分解処理工程
４  ：水素化脱硫処理工程
５  ：気液分離工程
６  ：水素化改質処理工程
７  ：ナフサ留分水素化脱硫処理工程
８  ：蒸留工程
９  ：流動接触分解工程
１０：原油
１１：気相流体
１２：液相流体
１３：水素化改質された気相流体
１４：改質原油
１５：ナフサ留分分離工程で分離されたナフサ留分およびそれより軽質な留分
１６：抜頭原油
１７：気相流体
１８：液相流体
１９：水素化改質された気相流体
２０：改質抜頭原油
２１：水素化改質された気相流体（ナフサ留分を含む）
２２：改質混合原油
２３：脱硫ナフサ
２４：改質混合原油
３０：ＬＰＧ、ガス
３１：ナフサ
３２：灯油
３３：軽油
３４：残油（重油）
３５：水素化改質された気相流体
３６：改質原油
４０：ＬＰＧ、ガス
４１：ナフサ
４２：灯油
４３：軽油
４４：残油（重油）
４５：水素化改質された気相流体
４６：改質抜頭原油
５０：ＬＰＧ、ガス
５１：ナフサ
５２：灯油
５３：軽油
５４：残油（重油）
５５：水素化改質された気相流体
５６：改質混合原油
６０：ＬＰＧ、ガス
６１：ナフサ
６２：灯油
６３：軽油
６４：残油（重油）
６５：水素化改質された気相流体
６６：改質抜頭原油
７０：ＬＰＧ、ガス
７１：ナフサ
７２：灯油
７３：軽油
７４：残油（重油）
７５：気相流体
７６：液相流体
７７：水素化改質された気相流体
７８：改質原油
７９：水素化改質された気相流体
８０：ガソリン
８１：分解軽油
８２：分解残油
８３：ナフサ
８４：灯油
８５：軽油
８６：改質灯油
８７：改質軽油
８８：残油
８９：水素化改質された気相流体
９０：水素化脱硫された液相流体
９１：改質原油
９２：軽質留分
９３：中間留分
９４：残油
【図１】
0004226154.tif 000012
【図２】
0004226154.tif 000013
【図３】
0004226154.tif 000014
【図４】
0004226154.tif 000015
【図５】
0004226154.tif 000016
【図６】
0004226154.tif 000017
【図７】
0004226154.tif 000018
【図８】
0004226154.tif 000019
【図９】
0004226154.tif 000020
【図１０】
0004226154.tif 000021
【図１１】
0004226154.tif 000022
【図１２】
0004226154.tif 000023
【図１３】
0004226154.tif 000024